(57)【要約】【課題】肌に対するフィット性に優れている上に、内外面の何れもが柔軟で肌触りが良く、しかも履き上げ時に構造破壊が生じにくいパンツ型吸収性物品を提供する。【解決手段】本発明の使い捨ておむつは、着用者の腹側に配される腹側部Ａ、着用者の背側に配される背側部Ｂ、及び腹側部と背側部との間に位置する股下部Ｃを有する使い捨ておむつであり、腹側部Ａ及び背側部Ｂのうちの少なくとも腹側部Ａの胴回り領域Ａ２に、おむつの外表面を形成する最外層シート１２、着用者の肌に接する内表面を形成する最内層シート１５及び最外層シートと最内層シートとの間に位置する中間シート１４が厚み方向に重なった多層領域Ｒを有しており、中間シート１３は、多層領域Ｒに、最外層シート１２及び最内層シート１５の何れにも固定されていない非固定領域Ｒ１を有し、非固定領域Ｒ１は、おむつ幅方向に伸縮性を有している。【選択図】図３
2014100157.tif 000002
【特許請求の範囲】
【請求項１】
着用者の腹側に配される腹側部、着用者の背側に配される背側部、及び腹側部と背側部との間に位置する股下部を有する使い捨ておむつであって、
腹側部及び背側部のうちの少なくとも腹側部の胴回り領域に、おむつの外表面を形成する最外層シート、着用者の肌に接する内表面を形成する最内層シート及び最外層シートと最内層シートとの間に位置する中間シートが厚み方向に重なった多層領域を有しており、
前記中間シートは、前記多層領域に、最外層シート及び最内層シートの何れにも固定されていない非固定領域を有し、該非固定領域は、おむつ幅方向に伸縮性を有している、使い捨ておむつ。
【請求項２】
前記最外層シートが非伸縮性である、請求項１記載の使い捨ておむつ。
【請求項３】
前記最内層シートが非伸縮性である、請求項１又は２記載の使い捨ておむつ。
【請求項４】
前記非固定領域は、積層された複数枚のシート及びシート間に伸長状態で配された弾性部材からなる、請求項１〜３の何れか１項記載の使い捨ておむつ。
【請求項５】
前記中間シートは、伸縮性を有する１枚のシートのみからなる請求項１〜３の何れか１項記載の使い捨ておむつ。
【請求項６】
前記非固定領域は、おむつ幅方向において、少なくとも吸収体の側縁より外方の部位に形成されている、請求項１〜５の何れか１項記載の使い捨ておむつ。
【請求項７】
腹側部における両側縁部と背側部における両側縁部とが互いに接合されて、一対のサイドシール部、ウエスト開口部及び一対のレッグ開口部が形成されているパンツ型の使い捨ておむつであり、腹側部及び背側部の前記非固定領域が、腹側部の胴回り領域と背側部の胴回り領域が環状に連結された環状の胴回り領域の、サイドシール部近傍を除く略全周に亘って形成されている、請求項１〜６の何れか１項記載の使い捨ておむつ。
【請求項８】
着用者の腹側に配される腹側部、着用者の背側に配される背側部、及び腹側部と背側部との間に位置する股下部を有するおむつカバーであって、
腹側部及び背側部のうちの少なくとも腹側部の胴回り領域に、おむつカバーの外表面を形成する最外層シート、着用者の肌に接する内表面を形成する最内層シート及び最外層シートと最内層シートとの間に位置する中間シートが厚み方向に重なった多層領域を有しており、
前記中間シートは、前記多層領域に、最外層シート及び最内層シートの何れにも固定されていない非固定領域を有し、該非固定領域は、おむつカバーの幅方向に伸縮性を有している、おむつカバー。
【発明の詳細な説明】
【技術分野】
【０００１】
本発明は、使い捨ておむつに関する。
【背景技術】
【０００２】
従来、パンツ型の使い捨ておむつにおいて、胴回り部に配する胴回り部弾性部材を、おむつの外表面を形成する最外層シート以外の部材に固定し、その胴回り弾性部材を固定した部材と最外層シートとの間に非接着領域を設けることによって、最外層シートの内方にギャザーを形成する一方、胴回り部の外表面にはギャザーが形成されないようにする技術が知られている（特許文献１）。
また、特許文献２には、おむつの外表面を形成する最外層シートと、胴回り部の最も肌側に配された最内層シートとの間を、最内層シートの周縁部を除く大部分において非接着とするとともに、最外層シート及び最内層シートの何れかに伸縮性シートを用いたものが記載されている。
また、特許文献３には、おむつの外表面を形成する最外層シートと、その肌側に配される内層シートとを多数の結合部で互いに結合させるとともに、両シート間に伸長状態で配した糸状弾性部材によって両シートに襞を形成させた使い捨ておむつが記載されている。
【先行技術文献】
【特許文献】
【０００３】
【特許文献１】特開２００５−２８７９３０号公報
【特許文献２】特開２０１０−２２７１５３号公報
【特許文献３】特開２００８−１６１５１４号公報
【発明の概要】
【発明が解決しようとする課題】
【０００４】
特許文献１のおむつは、胴回り部の外表面にギャザーが形成されていないため、すっきりとした外観を呈する。しかし、最外層シートの内方に形成されたギャザーによって、肌が擦られる恐れがある。
特許文献２のおむつは、最内層シートを伸縮性シートとした場合には、該伸縮性シートによって肌が擦られる恐れがあり、また、最外層シートを伸縮性シートとした場合においても、衣類の動きやそれに伴う最外層シートの伸縮が、最内層シートに伝わりやすく、肌が擦られる恐れがある。
特許文献３のおむつは、最外層シートと内層シートの両シートに形成された襞によりおむつの外表面及び内面が共に柔軟であるが、両シートは、それらの間を結合する多数の結合部を介して連動するものであるため、本発明とは思想及び構成が異なる。
【０００５】
本発明の課題は、上記の従来技術が有する解決課題を解決し得る使い捨ておむつに関する。
【課題を解決するための手段】
【０００６】
本発明は、着用者の腹側に配される腹側部、着用者の背側に配される背側部、及び腹側部と背側部との間に位置する股下部を有する使い捨ておむつであって、腹側部及び背側部のうちの少なくとも腹側部の胴回り領域に、おむつの外表面を形成する最外層シート、着用者の肌に接する内表面を形成する最内層シート及び最外層シートと最内層シートとの間に位置する中間シートが厚み方向に重なった多層領域を有しており、前記中間シートは、前記多層領域に、最外層シート及び最内層シートの何れにも固定されていない非固定領域を有し、該非固定領域は、おむつ幅方向に伸縮性を有している、使い捨ておむつを提供するものである。
【０００７】
本発明は、着用者の腹側に配される腹側部、着用者の背側に配される背側部、及び腹側部と背側部との間に位置する股下部を有するおむつカバーであって、腹側部及び背側部のうちの少なくとも腹側部の胴回り領域に、おむつカバーの外表面を形成する最外層シート、着用者の肌に接する内表面を形成する最内層シート及び最外層シートと最内層シートとの間に位置する中間シートが厚み方向に重なった多層領域を有しており、前記中間シートは、前記多層領域に、最外層シート及び最内層シートの何れにも固定されていない非固定領域を有し、該非固定領域は、おむつカバーの幅方向に伸縮性を有している、おむつカバーを提供するものである。
【発明の効果】
【０００８】
本発明の使い捨ておむつによれば、着用者の肌に対するフィット性に優れている上に、おむつの外表面の動きや伸縮性の中間シートの動きが、肌に当接するシートに伝わりにくく、肌が擦られずに良好な履き心地が得られる。
本発明のおむつカバーによれば、着用者の肌に対するフィット性に優れている上に、外表面の動きや伸縮性の中間シートの動きが、肌に当接するシートに伝わりにくく、肌が擦られずに良好な履き心地が得られる。
【図面の簡単な説明】
【０００９】
【図１】図１は、本発明の第１実施形態のパンツ型使い捨ておむつを示す斜視図である。
【図２】図２は、図１に示すおむつの展開且つ伸長状態における内面側を示す展開平面図である。展開且つ伸長状態とは、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図２のＩ−Ｉ線断面図である。
【図４】図４は、図２のＩＩ−ＩＩ線断面図である。
【図５】図５は、図１のおむつの腹側部及び背側部の胴回り領域の横断面を模式的に示す断面図である。
【図６】図６は、弾性部材のシートへの固定態様の一例を示す断面図である。
【図７】図７は、本発明の第２実施形態のパンツ型使い捨ておむつを示す断面図（図３相当図）である。
【図８】図８（ａ）は、本発明の第３実施形態のパンツ型使い捨ておむつを示す断面図（図３相当図）、図８（ｂ）は、図８（ａ）に示すおむつの中間シートの伸縮部の拡大断面図である。
【図９】図９は、本発明の第４実施形態のパンツ型使い捨ておむつを示す断面図（図３相当図）である。
【図１０】図１０は、本発明の第５実施形態のパンツ型使い捨ておむつを示す断面図（図３相当図）である。
【図１１】図１１は、本発明の第５実施形態のパンツ型使い捨ておむつを示す断面図（図４相当図）である。
【発明を実施するための形態】
【００１０】
以下に、本発明をその好ましい実施形態に基づき図面を参照しながら説明する。
本発明の第１実施形態である使い捨ておむつ１（以下、おむつ１ともいう）は、図１に示すように、予め、ウエスト開口部５及び一対のレッグ開口部６，６が形成されているパンツ型の使い捨ておむつである。
おむつ１は、着用時に着用者の腹側に配される腹側部Ａ、着用時に着用者の背側に配される背側部Ｂ、及び腹側部Ａと背側部Ｂとの間に位置して、着用時に着用者の股間部に配される股下部Ｃを有している。
【００１１】
おむつ１は、パンツ型の外装体１１と、該外装体１１に固定された吸収性本体１０とを備えている。
外装体１１は、腹側部Ａにおける両側縁部と背側部Ｂにおける両側縁部とが互いに接合されており、その接合によって、おむつ１に、一対のサイドシール部Ｓ，Ｓ、ウエスト開口部５及び一対のレッグ開口部６，６が形成されている。外装体１１は、展開且つ伸長状態のおむつ１においては、図２に示すように、長方形の長手方向中央部が括れた形状を有している。
【００１２】
本明細書において、おむつ長手方向とは、腹側部Ａから股下部Ｃを経て背側部Ｂに亘る方向であり、図２中のＹ方向である。また、おむつ幅方向は、前記長手方向と交差する方向であり、図２中のＸ方向である。展開且つ伸長状態のおむつ１において、おむつ幅方向Ｘは、おむつ長手方向Ｙと直交している。吸収性本体の長手方向及び幅方向は、それぞれ、おむつの長手方向及び幅方向と対応する方向である。また、腹側部Ａ及び背側部Ｂのそれぞれにおいて、パンツ型吸収性物品の長手方向は、着用時の上下方向であるため、腹側部Ａ及び背側部Ｂのおむつ長手方向Ｙにおいて、ウエスト開口縁Ｗ側を上側又は上方、股下部Ｃ側を下側又は下方ともいう。ウエスト開口縁Ｗは、ウエスト開口部５の周縁である。
【００１３】
外装体１１は、図２〜図４に示すように、おむつの外表面を形成する最外層シート１２と、最外層シート１２に隣接させて該最外層シート１２の肌面側に配されている中間シート１３と、中間シート１３の肌面側に位置し、吸収性本体１０の長手方向の端部の上下に亘って延在している内面形成シート１４と、シート間に配された各部の弾性部材７１，９１等を有している。
最外層シート１２及び中間シート１３は、それぞれ、腹側部Ａ、股下部Ｃ及び背側部Ｂに亘って連続しており、内面形成シート１４は、背側部Ｂ及び腹側部Ａにそれぞれ一枚配されている。また、最外層シート１２は、腹側部Ａ、股下部Ｃ及び背側部Ｂの全域において、おむつ１の外表面を形成しており、更に、最外層シート１２を構成するシート材が、ウエスト開口縁Ｗにおいて肌面側に折り返されて、最外層シート１２の折り返し部１２ａ，１２ｂが形成されている。内面形成シート１４は、最外層シート１２の折り返し部１２ａ，１２ｂに覆われていない部分が、着用者の肌に接する内表面を形成する最内層シート１５となっている。肌面は、各シートの両面のうち、着用時に着用者の肌側に向けられる面である。
【００１４】
以下、おむつ１の外装体１１におけるシートの積層状態について更に説明する。なお、本実施形態のおむつ１は、腹側部Ａと背側部Ｂとで外装体１１が同様の積層構造を有している。そのため、図３及び図４を参照しつつ、主として腹側部Ａの積層構造について説明するが、背側部Ｂにも同様の説明が適用される。
【００１５】
第１実施形態のおむつ１の外装体１１は、腹側部Ａの胴回り領域Ａ２に、おむつの外表面を形成する最外層シート１２、着用者の肌に接するおむつの内表面を形成する最内層シート１５及び最外層シート１２と最内層シート１５との間に位置する中間シート１３が厚み方向に重なった多層領域Ｒを有している。
多層領域Ｒの上端は、中間シート１３の上端１３ｕの位置に一致し、多層領域Ｒの下端は、最内層シート１５の下端１５ｄの位置と一致している。
内面形成シート１４は、多層領域Ｒの上端の位置を超えて、ウエスト開口部の周縁部Ｗ近傍まで延在している。そして、ウエスト開口部の周縁部Ｗ近傍における、最外層シート１２と内面形成シート１４との間に、複数本（図示例は５本）のウエスト弾性部材５１が、腹側部Ａの幅方向の全幅に亘って伸長状態で配されてウエスト弾性領域Ａ１が形成されている。ウエスト弾性領域Ａ１は、その収縮により、ウエスト開口部５の周縁部に、ウエストギャザーを形成し、ウエスト開口部におけるフィット性が向上する。
胴回り領域Ａ２は、ウエスト弾性領域Ａ１よりも股下部Ｃ側に位置する部分である。ウエスト弾性領域Ａ１は、ウエスト開口部５の周縁部に形成された伸縮領域である。ウエスト弾性領域Ａ１と胴回り領域Ａ２との境界が不明な場合は、ウエスト開口縁Ｗから股下部Ｃ方向への距離が３ｃｍの位置よりも股下部Ｃ側の領域を胴回り領域Ａ１とする。
【００１６】
また、中間シート１３は、図３に示すように、多層領域Ｒ中に、最外層シート１２及び最内層シート１５の何れにも固定されていない非固定領域Ｒ１を有している。第１実施形態における中間シート１３は、図３に示すように、積層された２枚のシート１３ｇ，１３ｉ及びその間に固定された糸状又は紐状の弾性部材７１からなる伸縮部Ｒ２を有している。中間シート１３の非固定領域Ｒ１は、この伸縮部Ｒ２を有することによって、おむつ幅方向Ｘに伸縮性を有している。
【００１７】
中間シート１３の非固定領域Ｒ１に配する弾性部材７１の本数は、好ましくは２本以上、より好ましくは３本以上であり、また、好ましくは３０本以下、より好ましくは２０本以下であり、また、好ましくは２〜３０本、より好ましくは２〜２０である。
【００１８】
中間シート１３の非固定領域Ｒ１には、複数本の弾性部材７１を、おむつ長手方向Ｙに分散させて配置し、伸縮部Ｒ２のおむつ長手方向の長さＬ２を広くすることが、胴回り領域Ａ２が、着用者の胴回りに面で優しくフィットするようにする観点から好ましい。伸縮部Ｒ２のおむつ長手方向の長さＬ２は、非固定領域Ｒ１中の、長手方向最上端に存在する弾性部材７１と最下端に存在する弾性部材７１との間の距離である。
伸縮部Ｒ２のおむつ長手方向Ｙの長さＬ２は、腹側部Ａの同方向Ｙの長さＬａに対する割合が、好ましくは１０％以上、より好ましくは５０％以上である。上限は１００％である。なお、本実施形態のパンツ型の使い捨ておむつの場合、腹側部Ａの長手方向の長さＬａは、サイドシール部Ｓのおむつ長手方向の長さと同じである。
【００１９】
また、成人用のおむつの場合、伸縮部Ｒ２の前記長さＬ２は、好ましくは２ｃｍ以上、より好ましくは１０ｃｍ以上であり、また、好ましくは２５ｃｍ以下、より好ましくは２０ｃｍ以下であり、また、好ましくは２〜２５ｃｍ、より好ましくは１０〜２０ｃｍである。
また、伸縮部Ｒ２のおむつ幅方向の長さは、腹側部Ａのサイドシール部間の長さＷ１に対する割合が、好ましくは３０％以上、より好ましくは４０％以上、更に好ましくは５０％以上である。上限は１００％である。
【００２０】
また、中間シート１３の非固定領域Ｒ１は、おむつ長手方向Ｙの長さＬ１が、少なくとも、前述した伸縮部Ｒ２の前記長さＬ２以上であることが好ましい。
非固定領域Ｒ１のおむつ長手方向Ｙの長さＬ１は、腹側部Ａの同方向Ｙの長さＬａに対する割合が、好ましくは１０％以上、より好ましくは５０％以上である。上限は１００％である。
また、成人用のおむつの場合、非固定領域Ｒ１の前記長さＬ１は、好ましくは２ｃｍ以上、より好ましくは１０ｃｍ以上であり、また、好ましくは２５ｃｍ以下、より好ましくは２０ｃｍ以下であり、また、好ましくは２〜２５ｃｍ、より好ましくは１０〜２０ｃｍである。
【００２１】
また、非固定領域Ｒ１のおむつ幅方向の長さは、腹側部Ａのサイドシール部間の長さＷ１に対する割合が、好ましくは３０％以上、より好ましくは４０％以上、更に好ましくは５０％以上である。上限は１００％である。
【００２２】
伸縮部Ｒ２を備えた非固定領域Ｒ１は、おむつ幅方向において、少なくとも、吸収体４の側縁より外方の部位Ｇ，Ｇに形成されていることが好ましい。本実施形態のおむつ１においては、腹側部Ａの非固定領域Ｒ１は、腹側部における一対のサイドシール部間の全幅に亘っており、背側部Ｂの非固定領域Ｒ１も、同様に背側部における一対のサイドシール部間の全幅に亘っている。即ち、図５に示すように、腹側部Ａの非固定領域Ｒ１と背側部Ｂの非固定領域Ｒ１とが、腹側部の胴回り領域Ａ２及び背側部の胴回り領域Ｂ２が環状に連結された環状の胴回り領域のサイドシール部のＳ，Ｓ近傍を除く略全周に亘って形成されている。また、非固定領域Ｒ１の伸縮部Ｒ２も、同様に、環状の胴回り領域のサイドシール部近傍を除く略全周に亘って形成されている。非固定領域Ｒ１及びその伸縮部Ｒ２が、サイドシール部近傍を除く略全周に亘って形成されていると、一層、フィット性に優れ、肌に優しいものとなる。なお、図中、符号Ｈは着用者を示す。
【００２３】
第１実施形態のおむつ１における中間シート１３は、その上端が、接着剤１７を介して最外層シート１２に接合されている。中間シート１３の上端側は、他の部材に固定されていなくてもよいが、最外層シート１２、内面形成シート等の他の部材に固定されている方が、中間シート１３が内部で折れ曲がることを防ぐ点から好ましい。
他方、中間シート１３の、非固定領域Ｒ１より下方に位置する部分は、吸収性本体１０と重なる部分においては、最外層シート１２及び吸収性本体１０に接着剤を介して固定されており、吸収性本体１０の両側縁より外方に位置する部分においては、最外層シート１２及び内面形成シート１４に接着剤を介して固定されている。
【００２４】
なお、前記弾性部材７１は、図６に示すように、弾性部材７１に塗布された接着剤１６のみを介して、中間シート１３を構成する２枚のシート１３ｇ，１３ｉと接合されており、隣接する弾性部材７１どうし間には、２枚のシート１３ｇ，１３ｉ間が接合されていない非接合領域Ｍが形成されている。これにより、やわらかさや通気性が向上する。
【００２５】
また、ウエスト弾性部材５１も、前述した弾性部材７１と同様に、弾性部材５１に塗工した接着剤のみを介して、最外層シート１２と内面形成シート１４との間に接合されており、隣接するウエスト弾性部材５１どうし間には、最外層シート１２と内面形成シート１４との間が接合されていない非接合領域が形成されている。また、ウエスト弾性部材５１は、おむつ長手方向Ｙに間隔を開けて複数本配されていることが好ましい。腹側部Ａ及び背側部Ｂに配するウエスト弾性部材５１の本数は、それぞれ、好ましくは３本以上、より好ましくは４本以上であり、また、好ましくは１５本以下、より好ましくは１２本以下であり、また、好ましくは３〜１５本、より好ましくは４〜１２本である。
【００２６】
本実施形態のおむつ１の腹側部Ａの股下寄り領域Ａ３には、おむつ幅方向Ｘに延びる下部弾性部材９１が、おむつ長手方向Ｙに間隔を開けて複数本配されている。下部弾性部材９１は、図４に示すように、最外層シート１２と中間シート１３との間に接着剤を介して接合されている。下部弾性部材９１は、吸収性本体１０の両側縁の外方においては伸縮力を発現する一方、吸収性本体１０と重なるＸ方向中央部に、下部弾性部材９１が伸縮力を発現しない非伸縮領域を有していることが好ましい。非伸縮性領域は、下部弾性部材９１が配されていなくても良いし、下部弾性部材９１が伸縮性を発現しない状態とされて配されていても良い。
外装体１１には、更に、レッグ部弾性部材６１が配されている。レッグ部弾性部材６１は、最外層シート１２と中間シート１３との間に、伸長状態で配されており、おむつ１のレッグ開口部６，６に、脚回りに沿って収縮するレッグギャザーを形成する。下部弾性部材９１及びレッグ部弾性部材６１は、それぞれ隣接する２枚のシート間に、一方又は双方のシートに塗工した接着剤を介して接合されており、弾性部材と弾性部材との間の中央位置においてもシートどうしが接合されている。
【００２７】
図２及び図３に示すように、吸収性本体１０は、おむつ長手方向Ｙと同方向に長い長方形状であり、液透過性の表面シート２、液不透過性又は液難透過性（撥水性等）の裏面シート３及び両シート２，３間に介在配置された液保持性の吸収体４を有する。吸収体４は、パルプ繊維等の繊維の集合体からなる吸収性コア又はこれに吸水性ポリマーの粒子を保持させてなる吸収性コア４０と、該吸収性コア４０を被覆するコアラップシート４６からなる。吸収性コア４０は、フラッフパルプの積繊物又はフラッフパルプと吸水性ポリマーの混合積繊物であることが好ましい。また、コアラップシート４６としては、各種公知のものを用いることができ、例えばティッシュペーパのような薄紙や透水性の不織布等が好ましく用いられる。また、吸収性本体１０は、図２に示すように、吸収性本体１０の長手方向の左右両側に、液抵抗性ないし撥水性で且つ通気性の素材から構成された側方カフス８，８を有していてもよい。各側方カフス８の自由端部の近傍には、複数の側方カフス弾性部材８１が伸張状態で配されている。側方カフス８は、おむつ着用時に起立して液の側方への流出を阻止する。
【００２８】
第１実施形態のおむつ１は、従来のパンツ型使い捨ておむつと同様にして使用することができる。
第１実施形態のおむつ１によれば、中間シート１３の伸縮性を有する非固定領域Ｒ１が、最外層シート１２及び最内層シート１５の何れにも固定されていないため、中間シートは、最外層シート及び最内層シートの影響を受けずに中間シート単体と同じような伸縮性を発現し、それらのシートと接合されている場合に生じるような伸縮性の低下が生じない。そのため、着用者の肌に対して良好なフィット性が得られる。
また、着用中の着用者の動きにより、衣類と擦れておむつ外面が動いたり、中間シートが伸縮しても、それらの動きが、最内層シート１５には伝わりにくい。そのため、伸縮性に優れ、最内層シート１５によって肌が擦られることが起こりにくく、優れた履き心地も得られる。
【００２９】
上述したおむつ１の各部の形成材料について説明する。
表面シート２、裏面シート３、吸収体４、及び側方カフス８形成用シート等としては、使い捨ておむつ等の吸収性物品に従来用いられている各種のもの等を特に制限なく用いることができる。例えば、表面シート２としては、単層又は多層構造の不織布や、開孔フィルム等を用いることができる。裏面シート３としては、樹脂フィルムや樹脂フィルムと不織布の積層体等を用いることができる。裏面シート３は、透湿性を有するものでも有しないものでも良い。
【００３０】
また、最外層シート１２，中間シート１３を構成する２枚のシート１３ｇ，１３ｉ、最内層シート１５としても、使い捨ておむつ等の吸収性物品に従来用いられている各種のシート材を特に制限なく用いることができるが、不織布を用いることが好ましく、不織布としては、エアースルー不織布、ヒートロール不織布、スパンレース不織布、スパンボンド不織布、メルトブローン不織布等の単層の不織布又は同種若しくは異種の不織布が２層以上に積層された積層不織布等が好ましい。また、最外層シート１２，中間シート１３，最内層シート１５として、不織布とフィルムとを一体化したシート等を用いることもできる。
【００３１】
最外層シート１２，中間シート１３を構成する２枚のシート１３ｇ，１３ｉ及び最内層シート１５は、それぞれ、スパンボンド不織布、特に目付が２０ｇ／ｍ2以下のスパンボンド不織布であることが好ましい。引っ張り強度に優れるスパンボンド不織布を使用することにより、各シートの目付の低減が可能であり、シートの剛性低下により、フィット性や装着感が向上する。
【００３２】
また、最外層シート１２及び最内層シート１５は、それぞれ、非伸縮性のシートを用いることが好ましい。また、中間シート１３を構成する２枚のシート１３ｇ，１３ｉも、それぞれ、弾性部材を固定しない単独状態では、非伸縮性のシートであることが好ましい。
「非伸縮性のシート」は、下記方法により測定した時、次のいずれかに当てはまるシートを言う。(１)該シートをおむつ幅方向Ｘに伸長した時に、伸度１００％以下で破断する。（２）該シートをおむつ幅方向Ｘに伸度１００％まで伸長させた後、収縮させたときにおける伸長回復率（１００％伸長時の伸長回復率）が３０％以下である。
＜非伸縮性の測定方法＞
長さ５０ｍｍ、幅２５ｍｍのシートのサンプル片を用意し、テンシロン引っ張り試験機〔（株）オリエンテック社製、「ＲＴＣ-１２１０Ａ」〕を用いて、チャック間隔Ｌ０にサンプル片を固定し、該サンプル片をその長さ方向に、３００ｍｍ/ｍｉｎの速度で１００％伸長時の長さＬｂ（伸度１００％の長さ，Ｌｂ=Ｌ０×２）まで伸長させる。破断しなかった場合は、引張速度と同様の速度で戻し始めて応力が０になった時におけるサンプル片の長さを伸長回復後の長さＬａとする。次式から１００％伸長時の伸長回復率を算出する。
１００％伸長時の伸長回復率（％）=〔（Ｌｂ-Ｌａ）/（Ｌｂ-Ｌ０）〕×１００
サンプル片は、おむつ又はおむつカバーの幅方向Ｘに対応する方向を長さ方向（５０ｍｍ）とする。
【００３３】
弾性部材５１，６１，７１，８１，９１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
【００３４】
次に、本発明の第２〜第５実施形態の使い捨ておむつについて説明する。第２〜第５実施形態のおむつについては、第１実施形態のおむつ１と相違する点について主として説明し、同様の点については説明を省略する。特に説明しない点については、好ましい構成を含めて、第１実施形態における説明が適宜適用される。また、第１実施形態と同様の要素には、同一の符号を付してある。
【００３５】
第２実施形態の使い捨ておむつは、図７に示すように、中間シート１３における、伸縮部Ｒ２を有する非固定領域Ｒ１が一枚のシートを折り返して形成した２枚のシート１３ｇ，１３ｉ及び該シート間に伸長状態で配された糸状又は紐状の弾性部材７１からなる点及び該中間シート１３の上端が、他の部材に固定されていない点が、第１実施形態と異なる。第２実施形態の中間シート１３も、第１実施形態と同様に、おむつ幅方向の両端部が一対のサイドシール部Ｓ，Ｓに固定されている。
第２実施形態の使い捨ておむつによれば、第１実施形態と同様の効果が奏される。
【００３６】
第３実施形態の使い捨ておむつは、図８（ａ）及び図８（ｂ）に示すように、中間シート１３における、伸縮部Ｒ２を有する非固定領域Ｒ１が、１枚の不織布６０と、該不織布６０上におむつ長手方向Ｙに間欠的に固定された複数本の弾性部材７１とを有している。弾性部材７１は、おむつ幅方向Ｘに伸長状態で配され、接着剤６３で不織布６０に固定されている。不織布６０は、ポリエチレン繊維、ポリエステル繊維、ポリプロピレン繊維等の疎水性繊維等から構成された、単層又は多層構造のスパンボンド不織布、スパンレース不織布、エアースルー不織布等であり、その目付は、１０〜２０ｇ／ｍ2の範囲の不織布であることが好ましい。スパンボンド不織布としては、ポリプロピレン繊維から構成されたスパンボンド／メルブローン／スパンボンド（ＳＭＳ）不織布であることが好ましい。
【００３７】
接着剤６３としては、通常、使い捨ておむつ等の吸収性物品に用いられるもの等を、特に制限なく用いることができ、例えば、ホットメルト型の接着剤を用いることができる。
接着剤６３は、接着剤塗工機としてビードガン等を用いて、各弾性部材７１に直接塗工することが好ましい。更に、基底部６５から突出した襞６４の形成のし易さの観点から、各弾性部材７１の不織布６０との対向位置にのみ直接塗工を施すことが好ましい。例えば、図８（ｂ）に示すように、弾性部材７１を断面視して、弾性部材７１の全周における襞６４内において不織布６０と対向する略半周上にのみ接着剤６３が直接塗工されていることが好ましい。また、各襞６４は、各弾性部材７１の収縮により形成されており、図８（ｂ）に示すように、断面視して、各弾性部材７１が各襞６４の高さ方向の先端寄りに配されている。弾性部材７１と、おむつ長手方向Ｙに隣り合う弾性部材どうし７１，７１間の基底部６５に位置する不織布６０とは離間しており、その離間する間隔Ｌ６は、厚み方向Ｚのクッション性を向上させる観点や通気性が向上する観点から、好ましくは０．１ｍｍ以上、より好ましくは０．５ｍｍ以上であり、好ましくは１０ｍｍ以下、より好ましくは５．０ｍｍ以下であり、また、好ましくは０．１〜１０ｍｍ、より好ましくは０．５〜５．０ｍｍである。
【００３８】
第３実施形態の使い捨ておむつによれば、第１実施形態と同様の効果が奏される。また、第３実施形態の使い捨ておむつによれば、中間シート１３の非固定領域Ｒ１における伸縮部Ｒ２は、厚み方向Ｚにクッション性を示すので、はき心地が一層向上する。
【００３９】
第４実施形態の使い捨ておむつにおいては、図９に示すように、最外層シート１２の折り返し部１２ａ，１２ｂが、吸収性本体１０の端部に重なる位置まで延在しており、その折り返し部１２ａ，１２ｂが、多層領域Ｒにおける最内層シート１５を構成している。最外層シート１２の折り返し部１２ａ，１２ｂは、最外層シート１２を構成するシート材がウエスト開口縁Ｗにおいて肌面側に折り返されて形成されている。
第４実施形態の使い捨ておむつによれば、第１実施形態と同様の効果が奏される。
【００４０】
第５実施形態の使い捨ておむつにおいては、図１０及び図１１に示すように、中間シート１３が、伸縮性を有する１枚のシートのみからなる。
第５実施形態のおむつにおいても、腹側部Ａの胴回り領域Ａ２及び背側部の胴回り領域Ｂ２のそれぞれに、おむつの外表面を形成する最外層シート１２、着用者の肌に接するおむつの内表面を形成する最内層シート１５及び最外層シート１２と最内層シート１５との間に位置する中間シート１３が厚み方向に重なった多層領域Ｒが形成されている。そして、その中間シート１３が、伸縮性を有する１枚のシートからなる。その中間シート１３は、図１０及び図１１に示すように、多層領域Ｒ中に、最外層シート１２及び最内層シート１５の何れにも固定されていない非固定領域Ｒ１を有しており、該非固定領域Ｒ１の全体が伸縮部Ｒ２となっている。
【００４１】
第５実施形態の中間シート１３として用いる１枚のシートからなる伸縮性シートとしては、特開２００８−２２８７６０号公報の段落〔００２２〕〜〔００２８〕に記載の、（１）弾性繊維の集合体からなる弾性繊維シートの両面に、伸長可能な繊維集合体が一体化されてなるシート、（２）ネット状の弾性シートの少なくとも片面に、伸長可能な繊維集合体が自然状態で一体化されてなるシート、（３）弾性繊維の集合体のみからなる弾性不織布シート、（４）互いに交差せずに一方向に延びるように配列した多数の弾性フィラメントが、実質的に非伸長状態で、それらの全長にわたり、伸長可能な不織布に接合されてなる伸縮シート等が好ましく用いられる。
第５実施形態の中間シート１３として用いる伸縮性シートは、糸又は細帯状の複数の弾性部材が伸長状態で固定されていなくても伸縮性を有する伸縮性シートが好ましく、自然状態で実質的に皺が寄っていないシートが好ましい。
伸長可能とは、少なくとも１方向の最大伸度が１００％以上である（長さが２倍以上に伸びること）ことを言う。
【００４２】
第５実施形態の使い捨ておむつによれば、第１実施形態と同様の効果が奏される。また、第５実施形態の使い捨ておむつによれば、薄くて、一層、柔らかくはき心地に優れる。
【００４３】
以上、本発明をその好ましい実施形態に基づき説明したが、本発明は上述した実施形態に制限されず適宜変更可能である。
【００４４】
例えば、上記の各実施形態のおむつにおいては、背側部Ｂ及び腹側部Ａの両方に、最外層シート、中間シート及び最内層シートが重なっている積層領域Ｒを有し、背側部Ｂ及び腹側部Ａの積層領域Ｒのそれぞれに、中間シート１３の非固定領域Ｒ１及び伸縮部Ｒ２が形成されていたが、そのような、積層領域Ｒ、非固定領域Ｒ１及び伸縮部Ｒ２は、腹側部Ａ及び背側部Ｂの何れか一方にのみ形成されていても良い。
また、積層領域Ｒ、非固定領域Ｒ１及び伸縮部Ｒ２の構成は、腹側部Ａと背側部Ｂとで同じであっても異なっていても良い。例えば、第１実施形態における腹側部Ａの構成と、他の実施形態における背側部Ｂの構成とを組み合わせても良いし、第２実施形態における腹側部Ａの構成と、他の実施形態における背側部Ｂの構成とを組み合わせても良いし、第３実施形態における腹側部Ａの構成と、他の実施形態における背側部Ｂの構成とを組み合わせても良いし、第４実施形態における腹側部Ａの構成と、他の実施形態における背側部Ｂの構成とを組み合わせても良いし、第５実施形態における腹側部Ａの構成と、他の実施形態における背側部Ｂの構成とを組み合わせても良い。
【００４５】
また、中間シートのウエスト開口縁Ｗ側の端部は、最外層シートに代えて、最内層シートや内面形成シート等の他のシートに固定されていてもよいし、最外層シートと、最内層シートや内面形成シートとの両者に固定されていてもよい。また、ウエスト弾性部材や、中間シートの伸縮部を形成する弾性部材は、それらを挟む２枚のシートの一方又は双方に所謂ベタ塗りされた接着剤を介して、該２枚のシート間に固定されていてもよい。
また、外装体は、最外層シート１２及び中間シート１３が、それぞれ、腹側部Ａ、股下部Ｃ及び背側部Ｂに亘って連続しているものに代えて、腹側部Ａ及び背側部Ｂに、互いに別体の最外層シート１２及び／又は中間シート１３が配されているものであっても良い。
また、使い捨ておむつは、幼児又は成人用のパンツ型使い捨ておむつの他、背側部の左右両側にファスニングテープを備えた展開型の使い捨ておむつであっても良い。
【００４６】
また、本発明のおむつカバーの実施形態としては、本発明の使い捨ておむつの第１〜第５実施形態のそれぞれから吸収性本体を取り除いたものを例示することができる。上述した第１〜第５実施形態のおむつの説明は、おむつ長手方向を、おむつカバーの長手方向、おむつ幅方向を、おむつカバーの幅方向に読み替えれば、おむつカバーの実施形態の説明となる。おむつカバーは、着用者の肌に向けられる内表面側に、尿とりパッド等と呼ばれる吸収体を備えた補助吸収具を載置して、使い捨ておむつと同様に着用される。補助吸収具としては、例えば、前述した使い捨ておむつの吸収性本体と同様の構成を有するものを用いることができる。
【００４７】
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４８】
上述した実施形態に関し、本発明は、さらに以下の使い捨ておむつ又はおむつカバーを開示する。
＜１＞  着用者の腹側に配される腹側部、着用者の背側に配される背側部、及び腹側部と背側部との間に位置する股下部を有する使い捨ておむつ又はおむつカバーであって、
腹側部及び背側部のうちの少なくとも腹側部の胴回り領域に、おむつ又はおむつカバーの外表面を形成する最外層シート、着用者の肌に接する内表面を形成する最内層シート及び最外層シートと最内層シートとの間に位置する中間シートが厚み方向に重なった多層領域を有しており、
前記中間シートは、前記多層領域に、最外層シート及び最内層シートの何れにも固定されていない非固定領域を有し、該非固定領域は、おむつ又はおむつカバーの幅方向に伸縮性を有している、使い捨ておむつ又はおむつカバー。
【００４９】
＜２＞  前記最外層シートが非伸縮性である、＜１＞記載の使い捨ておむつ又はおむつカバー。
＜３＞  前記最内層シートが非伸縮性である、＜１＞又は＜２＞記載の使い捨ておむつ又はおむつカバー。
＜４＞  前記非固定領域は、積層された複数枚のシート及びシート間に伸長状態で配された弾性部材からなる、＜１＞〜＜３＞の何れか１項記載の使い捨ておむつ又はおむつカバー。
＜５＞  前記複数枚のシートが、一枚のシートを折り返して形成した２枚のシートである＜４＞記載の使い捨ておむつ又はおむつカバー。
＜６＞  前記１枚のシートが、１枚の不織布と、該１枚の不織布上におむつ又はおむつカバーの長手方向に間欠的に固定された複数本の弾性部材とを有する＜１＞〜＜３＞の何れか１に記載の使い捨ておむつ又はおむつカバー。
＜７＞  前記弾性部材７１と、おむつ又はおむつカバーの長手方向Ｙに隣り合う弾性部材どうし７１，７１間の基底部６５に位置する不織布６０とは離間しており、その離間する間隔Ｌ６が、０．１ｍｍ以上、好ましくは０．５ｍｍ以上である＜６＞記載の使い捨ておむつ又はおむつカバー。
＜８＞  前記弾性部材７１と、おむつ又はおむつカバーの長手方向Ｙに隣り合う弾性部材どうし７１，７１間の基底部６５に位置する不織布６０とは離間しており、その離間する間隔Ｌ６が、１０ｍｍ以下、好ましくは５．０ｍｍ以下である＜６＞又は＜７＞記載の使い捨ておむつ又はおむつカバー。
＜９＞  前記非固定領域Ｒ１に配された弾性部材７１の本数は、２本以上、好ましくは３本以上である、＜４＞〜＜８＞の何れか１に記載の使い捨ておむつ又はおむつカバー。
【００５０】
＜１０＞  前記非固定領域Ｒ１に配された弾性部材７１の本数は、３０以下、好ましくは２０本以下である、＜４＞〜＜９＞の何れか１に記載の使い捨ておむつ又はおむつカバー。
＜１１＞  前記非固定領域における、おむつ又はおむつカバーの幅方向に伸縮性を有する伸縮部Ｒ２のおむつ長手方向の長さＬ２は、前記腹側部の長手方向の長さＬａに対する割合が、１０％以上、好ましくは５０％以上である、＜１＞〜＜１０＞の何れか１に記載の使い捨ておむつ又はおむつカバー。
＜１２＞  前記非固定領域における、おむつ又はおむつカバーの幅方向に伸縮性を有する伸縮部Ｒ２のおむつ長手方向の長さＬ２は、前記腹側部の長手方向の長さＬａに対する割合が、１００％以下である、＜１＞〜＜１１＞の何れか１に記載の使い捨ておむつ又はおむつカバー。
＜１３＞  前記非固定領域における、おむつ又はおむつカバーの幅方向に伸縮性を有する伸縮部Ｒ２のおむつ長手方向の長さＬ２は、２ｃｍ以上、好ましくは１０ｃｍ以上である、＜１＞〜＜１２＞の何れか１に記載の使い捨ておむつ又はおむつカバー。
＜１４＞  前記非固定領域における、おむつ又はおむつカバーの幅方向に伸縮性を有する伸縮部Ｒ２のおむつ長手方向の長さＬ２は、２５ｃｍ以下、好ましくは２０ｃｍ以下である、＜１＞〜＜１３＞の何れか１に記載の使い捨ておむつ又はおむつカバー。
＜１５＞  前記非固定領域における、おむつ又はおむつカバーの幅方向に伸縮性を有する伸縮部Ｒ２の幅方向の長さは、腹側部のサイドシール部間の長さに対する割合が、３０％以上、好ましくは４０以上、より好ましくは５０％以上である、＜４＞〜＜１４＞の何れか１に記載の使い捨ておむつ又はおむつカバー。
＜１６＞  前記非固定領域における、おむつ又はおむつカバーの幅方向に伸縮性を有する伸縮部Ｒ２の幅方向の長さは、腹側部のサイドシール部間の長さに対する割合が、１００％以下である、＜１＞〜＜１５＞の何れか１項記載の使い捨ておむつ又はおむつカバー。
＜１７＞  前記弾性部材は、弾性部材に塗布された接着剤のみを介して、中間シート１３を構成する２枚のシート１３ｇ，１３ｉと接合されている＜４＞〜＜１６＞の何れか１に記載の使い捨ておむつ又はおむつカバー。
＜１８＞  前記非固定領域の長手方向長さは、おむつ又はおむつカバーの幅方向に伸縮性を有する伸縮部Ｒ２の長手方向の長さよりも長い、＜４＞〜＜１７＞の何れか１に記載の使い捨ておむつ又はおむつカバー。
＜１９＞前記中間シートは、伸縮性を有する１枚のシートのみからなる＜１＞〜＜３＞の何れか１に記載の使い捨ておむつ又はおむつカバー。
【００５１】
＜２０＞  前記伸縮性を有する１枚のシートが、（１）弾性繊維の集合体からなる弾性繊維シートの両面に、伸長可能な繊維集合体が一体化されてなるシート、（２）ネット状の弾性シートの少なくとも片面に、伸長可能な繊維集合体が自然状態で一体化されてなるシート、（３）弾性繊維の集合体のみからなる弾性不織布シート、（４）互いに交差せずに一方向に延びるように配列した多数の弾性フィラメントが、実質的に非伸長状態で、それらの全長にわたり、伸長可能な不織布に接合されてなる伸縮シート、から選ばれる＜１９＞記載の使い捨ておむつ又はおむつカバー。
＜２１＞  前記非固定領域のおむつ長手方向の長さの、前記腹側部の長手方向の長さに対する割合が、１０％以上、好ましくは５０％以上である、＜１＞〜＜２０＞の何れか１に記載の使い捨ておむつ又はおむつカバー。
＜２２＞  前記非固定領域のおむつ長手方向の長さの、前記腹側部の長手方向の長さに対する割合が、１００％以下である、＜１＞〜＜２１＞の何れか１に記載の使い捨ておむつ又はおむつカバー。
＜２３＞  前記非固定領域のおむつ長手方向の長さは、２ｃｍ以上、好ましくは１０ｃｍ以上である、＜１＞〜＜２２＞の何れか１に記載の使い捨ておむつ又はおむつカバー。
＜２４＞  前記非固定領域のおむつ長手方向の長さは、２５ｃｍ以下、好ましくは２０ｃｍ以下である、＜１＞〜＜２３＞の何れか１に記載の使い捨ておむつ又はおむつカバー。
＜２５＞  前記非固定領域の幅方向の長さは、腹側部のサイドシール部間の長さに対する割合が、３０％以上、好ましくは４０％以上、より好ましくは５０％以上である、＜１＞〜＜２４＞の何れか１に記載の使い捨ておむつ又はおむつカバー。
＜２６＞  前記非固定領域の幅方向の長さは、腹側部のサイドシール部間の長さに対する割合が、１００％以下である、＜１＞〜＜２５＞の何れか１に記載の使い捨ておむつ又はおむつカバー。
＜２７＞  前記中間シート１３の上端側が他の部材に固定されている＜１＞〜＜２６＞の何れか１に記載の使い捨ておむつ又はおむつカバー。
＜２８＞  前記中間シート１３の上端側が他の部材に固定されていない＜１＞〜＜２６＞の何れか１に記載の使い捨ておむつ又はおむつカバー。
＜２９＞  ウエスト弾性部材が配されたウエスト弾性領域を有し、該ウエスト弾性部材は、弾性部材に塗布された接着剤のみを介して、最外層シート１２及びその内面側に位置する内面形成シート１４と接合されている＜１＞〜＜２８＞の何れか１に記載の使い捨ておむつ又はおむつカバー。
【００５２】
＜３０＞  ウエスト弾性部材が配されたウエスト弾性領域を有し、おむつ又はおむつカバーの縦方向に間欠的に配されたウエスト弾性部材の本数は、３本以上、好ましくは４本以上である、＜１＞〜＜２９＞の何れか１に記載の使い捨ておむつ又はおむつカバー。
＜３１＞  ウエスト弾性部材が配されたウエスト弾性領域を有し、おむつ又はおむつカバーの縦方向に間欠的に配されたウエスト弾性部材の本数は、１５本以下、好ましくは１２本以下である、＜１＞〜＜３０＞の何れか１に記載の使い捨ておむつ又はおむつカバー。
＜３２＞  最外層シート１２が、吸収性本体１０の端部に重なる位置まで延在する折り返し部１２ａ，１２ｂを有し、その折り返し部１２ａ，１２ｂが、多層領域Ｒにおける最内層シート１５を構成している＜１＞〜＜３１＞の何れか１に記載の使い捨ておむつ又はおむつカバー。
＜３３＞  吸収体を有する、＜１＞〜＜３２＞の何れか１に記載の使い捨ておむつ。
＜３４＞  前記非固定領域は、おむつ幅方向において、少なくとも吸収体の側縁より外方の部位に形成されている、＜３３＞記載の使い捨ておむつ。
【００５３】
＜３５＞  前記中間シート１３がおむつ幅方向の両端部が一対のサイドシール部Ｓ，Ｓに固定されている＜３３＞又は＜３４＞記載の使い捨ておむつ。
＜３６＞  腹側部における両側縁部と背側部における両側縁部とが互いに接合されて、一対のサイドシール部、ウエスト開口部及び一対のレッグ開口部が形成されているパンツ型の使い捨ておむつであり、腹側部及び背側部の前記非固定領域が、腹側部の胴回り領域と背側部の胴回り領域が環状に連結された環状の胴回り領域の、サイドシール部近傍を除く略全周に亘って形成されている、＜３３＞〜＜３５＞の何れか１に記載の使い捨ておむつ。
【符号の説明】
【００５４】
Ａ    腹側部
Ａ１  ウエスト弾性領域
Ａ２  胴回り領域
１０  吸収性本体
４０  吸収性コア
４  吸収体
１１  外装体
１２  最外層シート
１３  中間シート
Ｒ    積層領域
１４  内面形成シート
１５  最内層シート
Ｒ１  中間シートの非固定領域
Ｒ２  伸縮部
１６  接着剤
１７  接着剤
５１  ウエスト弾性部材
７１  非固定領域に伸縮性を付与する弾性部材
【図１】
2014100157.tif 000003
【図２】
2014100157.tif 000004
【図３】
2014100157.tif 000005
【図４】
2014100157.tif 000006
【図５】
2014100157.tif 000007
【図６】
2014100157.tif 000008
【図７】
2014100157.tif 000009
【図８】
2014100157.tif 000010
【図９】
2014100157.tif 000011
【図１０】
2014100157.tif 000012
【図１１】
2014100157.tif 000013